【事件の表示】
　特願２００２−１６１７２６「映像信号の９０度回転表示装置を用いた広告方法並びにその映像信号の９０度回転表示装置」拒絶査定不服審判事件〔平成１６年　１月１５日出願公開、特開２００４−　１２５１７〕について、次のとおり審決する。
【結　論】
　本件審判の請求は、成り立たない。
【理　由】
１．手続きの経緯
　本願は、平成１４年６月３日の出願であって、平成１６年４月１３日付け（発送日；同月１５日）で拒絶査定がなされ、これに対して、同年５月１７日に拒絶査定に対する審判請求がなされるとともに、同年６月１６日付けで手続補正がなされたものである。
　
２．平成１６年６月１６日付けの手続補正についての補正却下の決定
［補正却下の決定の結論］
　平成１６年６月１６日付けの手続補正を却下する。
［理由］
（１）補正の内容
　本件補正は、補正前の特許請求の範囲、
「【請求項１】　横長の映像信号受像機をそのまま横向きに設置せず向きを９０度回転させて縦長向きに設置して商業施設や公共スペースに設置し、入力された飛び越し走査方式の映像信号を９０度回転させる映像信号の９０度回転表示装置を用い、この表示装置からリアルタイムで出力される９０度回転した映像を、前記ポスターのように縦長画面となるように縦長向きに設置した映像信号受像機に、リアルタイムで送出表示して、この９０度回転した映像を表示する前記縦長の映像信号受像機によって広告を行うことを特徴とする広告方法。
【請求項２】　飛び越し走査方式の映像信号が出力される出力端子と接続され、この出力端子からリアルタイムで出力される飛び越し走査方式のアナログビデオ信号を入力する入力部と、この入力された飛び越し走査方式のアナログビデオ信号をデコードするデコーダ回路と、デコードされた飛び越し走査方式のディジタルビデオ信号を順次走査方式に信号変換する順次走査方式化回路と、この順次走査方式に変換された飛び越し走査方式のディジタルビデオ信号を９０度回転させる信号回転装置と、回転したディジタルビデオ信号をアナログ信号化するＤ／Ａコンバータと、横長の映像信号受像機の入力端子と接続され、前記９０度回転させたアナログビデオ信号をリアルタイムに出力する出力部とから成り、横長の映像信号受像機を９０度回転させて縦長向きに設置した縦長の映像信号受像機に前記出力部から出力される９０度回転させたアナログビデオ信号を入力して、前記飛び越し走査方式のアナログビデオ信号をリアルタイムで前記縦長の映像信号受像機に表示し得るように前記映像信号の９０度回転表示装置を構成し、この映像信号の９０度回転表示装置を用いることを特徴とする請求項１記載の広告方法。
【請求項３】　飛び越し走査方式の映像信号が出力される出力端子と接続され、この出力端子からリアルタイムで出力される飛び越し走査方式のアナログビデオ信号を入力する入力部と、この入力された飛び越し走査方式のアナログビデオ信号をデコードするデコーダ回路と、デコードされた飛び越し走査方式のディジタルビデオ信号を順次走査方式に信号変換する順次走査方式化回路と、この順次走査方式に変換された飛び越し走査方式のディジタルビデオ信号を９０度回転させる信号回転装置と、回転したディジタルビデオ信号をアナログ信号化するＤ／Ａコンバータと、横長の映像信号受像機の入力端子と接続され、前記９０度回転させたアナログビデオ信号をリアルタイムに出力する出力部とから成り、横長の映像信号受像機を９０度回転させて縦長向きに設置した縦長の映像信号受像機に前記出力部から出力される９０度回転させたアナログビデオ信号を入力して、前記飛び越し走査方式のアナログビデオ信号をリアルタイムで前記縦長の映像信号受像機に表示し得るように構成したことを特徴とする映像信号の９０度回転表示装置。」
　を、
「【請求項１】　横長の映像信号受像機をそのまま横向きに設置せず向きを９０度回転させて縦長向きに設置して
電子的看板として
ソフトウェアを用いずに
オンエア映像やビデオテープなどの一般に流通している映像を加工せずに
電子的看板としての大型・薄型にして縦長のカラー
大型・薄型にして
カラー
【請求項２】　飛び越し走査方式の映像信号が出力される出力端子と接続され、この出力端子からリアルタイムで出力される飛び越し走査方式のアナログビデオ信号を入力する入力部と、この入力された飛び越し走査方式のアナログビデオ信号をデコードするデコーダ回路と、デコードされた飛び越し走査方式のディジタルビデオ信号を順次走査方式に信号変換する順次走査方式化回路と、この順次走査方式に変換された飛び越し走査方式のディジタルビデオ信号を９０度回転させる信号回転装置と、回転したディジタルビデオ信号をアナログ信号化するＤ／Ａコンバータと、横長の映像信号受像機の入力端子と接続され、前記９０度回転させたアナログビデオ信号をリアルタイムに出力する出力部とから成り、横長の映像信号受像機を９０度回転させて縦長向きに設置した縦長の映像信号受像機に前記出力部から出力される９０度回転させたアナログビデオ信号を入力して、前記飛び越し走査方式のアナログビデオ信号をリアルタイムで前記縦長の映像信号受像機に表示し得るように前記映像信号の９０度回転表示装置を構成し
て、この縦長の映像信号受像機にリアルタイムのオンエア映像やビデオテープなどの一般に流通している映像を加工せずにソフトウェアを用いることなく９０度回転させて表示する
【請求項３】　飛び越し走査方式の映像信号が出力される出力端子と接続され、この出力端子からリアルタイムで出力される飛び越し走査方式のアナログビデオ信号を入力する入力部と、この入力された飛び越し走査方式のアナログビデオ信号をデコードするデコーダ回路と、デコードされた飛び越し走査方式のディジタルビデオ信号を順次走査方式に信号変換する順次走査方式化回路と、この順次走査方式に変換された飛び越し走査方式のディジタルビデオ信号を９０度回転させる信号回転装置と、回転したディジタルビデオ信号をアナログ信号化するＤ／Ａコンバータと、横長の映像信号受像機の入力端子と接続され、前記９０度回転させたアナログビデオ信号をリアルタイムに出力する出力部とから成り、横長の映像信号受像機を９０度回転させて
ポスターのように縦長画面となるように
大型・薄型にして
カラー
て、この縦長の映像信号受像機にリアルタイムのオンエア映像やビデオテープなどの一般に流通している映像を加工せずにソフトウェアを用いることなく９０度回転させて表示するようにした
　と補正する内容を含むものである。
　なお、アンダーラインは、補正個所を示すために請求人が付したものである。
　
（２）補正の目的の適合性
　上記手続補正は、補正前の請求項１及び３に記載した発明を特定するために必要な事項（以下、「発明特定事項」という。）である「縦長の映像信号受像器」について、「大型・薄型にして縦長のカラー映像信号受像機」とし、また、補正前の請求項１乃至３に記載した発明特定事項である、受像器に表示する「映像」について、「ソフトウェアを用いずに９０度回転させる映像信号の９０度回転表示装置を用い、この表示装置からリアルタイムで出力される９０度回転したオンエア映像やビデオテープなどの一般に流通している映像を加工せずに」表示する（請求項１）、「リアルタイムのオンエア映像やビデオテープなどの一般に流通している映像を加工せずにソフトウェアを用いることなく９０度回転させて表示する」（請求項２及び３）としたものであり、それぞれ発明特定事項に限定を付加したものと認められる。
　したがって、上記手続補正は、特許請求の範囲の減縮を目的とするものと認められ、特許法第１７条の２第４項第２号の規定に該当するものである。
　　
（３）独立特許要件
　そこで、本件補正後の特許請求の範囲の請求項３に係る発明（以下、「本願補正発明」という。）が、特許出願の際独立して特許を受けることができるものであるか（特許法第１７条の２第５項において準用する同法第１２６条第５項の規定に適合するか）について、以下検討する。
　
（３−１）引用刊行物 
（３−１−１）刊行物１
　原査定の拒絶の理由に引用された本願の出願前に頒布された刊行物である特開２００２−４４５２０号公報には、図面とともに、次の事項が記載されている。
１ａ．「【請求項１】　使用者命令が入力されると，ＰＩＰ画面を９０°回転させるために主制御信号を出力する主制御部と，ＰＣから９０°回転された主画面映像信号が入力されてデジタル信号に変換する第１信号変換部と，ＴＶ，ＶＣＲ，またはＤＶＤからＰＩＰ画面映像信号が入力されてデジタル信号に変換する第２信号変換部と，前記主制御信号によって前記第２信号変換部からデジタル変換されたＰＩＰ画面映像信号が入力されて９０°回転させるピボット処理部と，前記主制御信号によって前記第１信号変換部から９０°回転された主画面デジタル映像信号と前記ピボット処理部から９０°回転されたＰＩＰ画面デジタル映像信号が入力されて前記主画面とＰＩＰ画面を設定された解像度によって重畳するＰＩＰ処理部と，前記ＰＩＰ処理部から重畳画面映像信号が入力されてパネルに表示するためのパネル駆動部とからなることを特徴とするＰＩＰ機能を有するデジタル映像表示機器のピボット装置。
【請求項２】　前記ピボット処理部は，選択制御信号によって前記第２信号変換部から入力されたＰＩＰ画面映像信号のうち，所定の信号源から提供されたＰＩＰ画面映像信号を選択的に出力する信号源選択部と，前記信号源選択部から選択出力されたＰＩＰ画面映像信号を９０°回転させて臨時に貯蔵するためのフレームメモリと，イネーブル制御信号が入力されると，前記フレームメモリから書き込まれたＰＩＰ画面映像信号を出力し，ディスエーブル制御信号が入力されると，前記信号源選択部から入力されたＰＩＰ画面映像信号を出力する出力部と，前記主制御部の制御によって前記信号源選択部に信号源選択信号を出力し，前記信号源選択部から出力されたＰＩＰ画面映像信号を設定された順序によってフレームメモリの所定アドレスに書き込み，前記フレームメモリに書き込まれたＰＩＰ画面映像信号を設定された順序によって読出して前記出力部へ電送し，前記出力部にイネーブル／ディスエーブル制御信号を出力するピボット制御部とからなることを特徴とする請求項１に記載のＰＩＰ機能を有するデジタル映像表示機器のピボット装置。」（【特許請求の範囲】）
１ｂ．「【０００１】
【発明の属する技術分野】本発明は，ＰＩＰ機能を有するデジタル映像表示機器のピボット装置に係り，特に主画面の方向と同一の方向にＰＩＰ画面を表示するようになされたＰＩＰ機能を有するデジタル映像表示機器のピボット装置に関するものである。
【０００２】
【従来の技術】近来，使用者にとってより便利な使用環境を提供するため，基本機能以外にも多様な付加機能を備えた映像表示機器が提案されている。このような付加機能にはＰＩＰ機能とピボット機能が含まれている。
【０００３】一般に，ＰＩＰ（Ｐｉｃｔｕｒｅ　Ｉｎ　Ｐｉｃｔｕｒｅ）機能とは，ＰＣから入力された主画面と，ＴＶ，ＶＴＲ，ＤＶＤ等の多様な信号源から入力されたＰＩＰ画面を重畳することにおいて，１つの映像表示機器画面上に同時に表示する画面編集機能をいう。
【０００４】また，ピボット（Ｐｉｖｏｔ）機能とは，横または縦方向に映像表示機器を立てておいた場合，立てた方向に合うように映像を表示する画面編集機能をいう。一般に，ＰＣのソフトウエアによって横，または縦方向に画面編集された状態で映像表示機器に電送されるため，映像表示機器は電送された映像信号をそのまま表示するだけである。」
１ｃ．「【００１０】しかし，使用者が映像表示機器を縦に置きＰＩＰ画面を置くと，図７（ｂ）に示したようにＰＣから入力された主画面はＰＣの特定ソフトウエアによって正常に表示されるが，ＴＶ，ＶＣＲ，ＤＶＤ等から入力されたＰＩＰ画面は９０°回転した状態に表示される。
【００１１】即ち，従来の映像表示機器は，ＰＩＰ機能とピボット機能を同時に使用しようとする場合，主画面に表示されるＰＣ映像信号はＰＣソフトウエアによって横，または縦方向の表示が可能であるが，ＰＩＰ画面に表示されるＴＶ映像信号，またはＶＣＲ映像信号，またはＤＶＤ映像信号は横方向にしか表示できない。
【００１２】これにより使用者が映像表示機器を縦に置きＰＩＰ画面を置く場合，従来のデジタル映像表示機器は，ＰＩＰ画面が９０°回転された状態に表示されるため，使用者が正常な画面を鑑賞できないという問題点があった。」
１ｄ．「【００２１】
【発明の実施の形態】以下，図面に基づいて本発明の実施の形態を詳細に説明する。図１は，本発明によるＰＩＰ機能を有するデジタル映像表示機器のピボット装置の第１実施形態を図示した全体ブロック図であり，図２は，本発明によるＰＩＰ機能を有するデジタル映像表示機器のピボット装置の第２実施形態を図示した全体ブロック図である。
【００２２】図３は，図１に図示されたピボット処理部の細部ブロック図であり，図４は，図２に図示されたピボット処理部の細部ブロック図である。
【００２３】図１に示したように，本発明による第１実施形態では，使用者命令が入力されるとＰＩＰ画面を９０°回転させるために主制御部６０が主制御信号を出力する。第１信号変換部１０は，ＰＣから９０°回転された主画面映像信号が入力されるとデジタル信号に変換し，第２信号変換部２０は，ＴＶ，ＶＣＲ，またはＤＶＤからＰＩＰ画面映像信号が入力されるとデジタル信号に変換する。次いで主制御信号によって第２信号変換部２０からデジタル変換されたＰＩＰ画面映像信号が入力されると，ピボット処理部３０が９０°回転させる。主制御信号によって第１信号変換部１０から９０°回転された主画面デジタル映像信号と，ピボット処理部３０から９０°回転されたＰＩＰ画面デジタル映像信号とが入力されると，ＰＩＰ処理部４０は主画面とＰＩＰ画面を設定された解像度によって重畳する。そしてＰＩＰ処理部４０から重畳画面映像信号が入力されるとパネル駆動部５０がパネルに表示する。
【００２４】図３に示したようにピボット処理部３０では，選択制御信号によって第２信号変換部２０から入力されたＰＩＰ画面映像信号のうち，所定信号源から提供されたＰＩＰ画面映像信号を信号源選択部３１が選択的に出力する。信号源選択部３１から選択出力されたＰＩＰ画面映像信号は９０°回転され，フレームメモリ３２に臨時に貯蔵される。出力部３３はイネーブル（ｅｎａｂｌｅ）制御信号が入力されるとフレームメモリ３２から書き込まれたＰＩＰ画面映像信号を出力し，ディスエーブル（ｄｉｓａｂｌｅ）制御信号が入力されると，信号源選択部３１から入力されたＰＩＰ画面映像信号を出力する。ピボット制御部３４は，主制御部６０の制御によって信号源選択部３１に信号源選択信号を出力し，信号源選択部３１から出力されたＰＩＰ画面映像信号を設定された順序によってフレームメモリ３２の所定アドレスに書き込み，フレームメモリ３２に書き込まれたＰＩＰ画面映像信号を設定された順序によって読出して出力部３３へ電送し，出力部３３にイネーブル／ディスエーブル制御信号を出力する。」
１ｅ．「【００２７】続いて，上記のように構成された本発明による装置を第１実施形態と第２実施形態に分けて調べると，次のとおりである。
【００２８】このとき，第１実施形態は，ＰＣのソフトウエアによって主画面が９０°回転された状態に映像表示機器に入力される場合，ＰＩＰ画面を９０°回転させるものであり，第２実施形態は，主画面がそのまま映像表示機器に入力される場合，主画面とＰＩＰ画面を全部９０°回転させるものである。
【００２９】
【第１実施形態】まず，図１に示したように，第１信号変換部１０は，ＰＣから９０°回転された主画面映像信号が入力されるとデジタル信号に変換し，第２信号変換部２０は，ＴＶ，ＶＣＲ，またはＤＶＤからＰＩＰ画面映像信号が入力されるとデジタル信号に変換する。
【００３０】即ち，第１信号変換部１０は，ＰＣから入力されたＲＧＢ色信号をデジタル信号に変換し，第２信号変換部２０は，ＴＶ，ＶＣＲ，またはＤＶＤから入力された複合映像信号を輝度信号（Ｙ）と色差信号（Ｕ）に分離した後，分離された輝度信号（Ｙ）と色差信号（Ｕ）をＲＧＢ色信号にデコーディングしてからデコーディングされたＲＧＢ色信号をデジタル信号に変換する。
【００３１】このとき，使用者命令が入力されると主制御部６０は，ＰＩＰ画面を９０°回転させるために主制御信号を出力する。
【００３２】これにより，ピボット処理部３０は，主制御信号によって第２信号変換部２０からデジタル変換されたＰＩＰ画面映像信号が入力されると９０°回転させる。
【００３３】ピボット処理部３０の動作を図３を参照してより詳しく調べると，ピボット制御部３４は，主制御部６０の制御によって信号源選択部３１に信号源選択信号を出力する。
【００３４】信号源選択部３１は，選択制御信号によって第２信号変換部２０から入力されたＰＩＰ画面映像信号のうち，所定信号源（例えば，ＴＶ，ＶＣＲ，またはＤＶＤ）から提供されたＰＩＰ画面映像信号を選択的に出力する。
【００３５】これによりピボット制御部３４は，主制御部６０の制御によって信号源選択部３１から出力されたＰＩＰ画面映像信号を設定された順序によってフレームメモリ３２の所定アドレスに書き込み，フレームメモリ３２に書き込まれたＰＩＰ画面映像信号を設定された順序によって読出して出力部３３へ電送する。
【００３６】即ち，ピボット処理部３０へ入力されるデータが図５（ａ）に示したような順序であると，フレームメモリに書き込まれるデータの順序は，図５（ｂ）に示したように９０°回転された状態になる。
【００３７】例えば，図５（ｂ）に示したように，フレームメモリ３２に１つのフレームのデータを書き込むことにおいて，右側の上方アドレスから左側の下方アドレスまで縦方向に書き込む。
【００３８】フレームメモリ３２は，信号源選択部３１から選択出力されたＰＩＰ画面映像信号を９０°回転させて臨時に貯蔵するためのものである。
【００３９】一方，ピボット制御部３４は，出力部３３にイネーブル／ディスエーブル制御信号を出力する。
【００４０】これにより出力部３３は，イネーブル制御信号が入力されると，フレームメモリ３２から書き込まれたＰＩＰ画面映像信号を出力し，ディスエーブル制御信号が入力されると，信号源選択部３１から入力されたＰＩＰ画面映像信号を出力する。
【００４１】即ち，イネーブル／ディスエーブル制御信号によって出力部３３は，９０°回転される以前のＰＩＰ画面映像信号と９０°回転された以後のＰＩＰ画面映像信号を選択的にＰＩＰ処理部４０に出力する。
【００４２】一方，ＰＩＰ処理部４０は，主制御信号によって第１信号変換部１０から９０°回転された主画面デジタル映像信号を，ピボット処理部３０から９０°回転されたＰＩＰ画面デジタル映像信号が入力されると，設定された解像度によって重畳する。
【００４３】これによりパネル駆動部５０は，ＰＩＰ処理部４０から重畳画面映像信号が入力されるとパネルに表示する。
【００４４】このとき，主画面とＰＩＰ画面をパネルに表示するために，ＰＩＰ処理部４０が入力された主画面映像信号とＰＩＰ画面映像信号をフレームメモリ７０の割り当てられた領域に設定された順序に書き込んだ後，読出してパネルへ電送する。」
１ｆ．図面の【図７】から、横長のディスプレイパネルを縦方向に置いて縦長のディスプレイパネルとした場合に、その方向に合うように映像を表示することが読み取れる。
　
（３−１−２）刊行物２
　原査定の拒絶の理由に引用された本願の出願前に頒布された刊行物である特開２００１−１９５５７０号公報（以下、「刊行物２」という。）には、図面とともに、次の事項が記載されている。
２ａ．「【００１３】書き込みアドレス生成部１２１は、順次入力される水平ラインスキャン・データストリームを第１のデュアルポートＲＡＭ１２３または第２のデュアルポートＲＡＭ１２４に記憶するためのアドレスを生成し、第１のデュアルポートＲＡＭ１２３および第２のデュアルポートＲＡＭ１２４に出力する。前述したように、画像処理装置１００には、図３に示すように１フレームが２５６×２５６画素の画像データが入力されるので、書き込みアドレス生成部１２１はこの１フレームの画像データを第１のデュアルポートＲＡＭ１２３または第２のデュアルポートＲＡＭ１２４の０ｘ００００番地から０ｘｆｆｆｆ番地に順に記録するように、０ｘ００００〜０ｘｆｆｆｆのアドレスを順に生成する。なお０ｘは、その値が１６進数表記であることを示す。
【００１４】読み出しアドレス生成部１２２は、第１のデュアルポートＲＡＭ１２３または第２のデュアルポートＲＡＭ１２４に記憶された画像データが、入力された時とは異なる所定のデータストリームとして出力されるように、その読み出しアドレスを生成し、第１のデュアルポートＲＡＭ１２３および第２のデュアルポートＲＡＭ１２４に印加する。本実施の形態において読み出しアドレス生成部１２２は、図４に示すように、２次元画像を９０°右回転させたような画像データの水平ラインスキャン・データストリームに相当するデータストリーム、換言すれば元の２次元画像の垂直ラインスキャン・データストリーム相当するデータストリームを生成するようなアドレスを生成しメモリに印加する。すなわち、読み出しアドレス生成部１２２は、０ｘｆｆ００，０ｘｆｅ００〜０ｘ００００，０ｆｆ０１，０ｘｆｅ０１〜０ｘ０００１，０ｘｆｆ０２〜０ｘ０００２・・・０ｘｆｆｆｆ〜０ｘ００ｆｆというアドレスを順に生成する。」
２ｂ．「【００５４】
【発明の効果】このように本発明によれば、２次元的な画像処理および大局的な画像処理を高速かつ適切に効率よく行なうことができる画像処理装置とその方法を提供することができる。また、任意のデータストリームに対する２次元的なデータ処理および大局的な
データ処理を、既存の画像処理装置を用いたとしても高速かつ適切に効率よく行なうことができるように、データストリームを変換するデータストリーム変換装置を提供することができる。」
　
（３−２）対比・判断
　刊行物１には、（３−１−１）の「１ａ．」乃至「１ｆ．」の記載から次の発明（以下、「刊行物１記載の発明」という。）が記載されているものと認められる。
「ＴＶ，ＶＣＲ，またはＤＶＤからのアナログＰＩＰ画面映像信号が入力されてデジタル信号に変換する第２信号変換部２０と，前記第２信号変換部２０からのデジタル変換されたＰＩＰ画面映像信号が入力されて９０°回転させるピボット処理部３０と，９０°回転された主画面デジタル映像信号と前記ピボット処理部３０からの９０°回転されたＰＩＰ画面デジタル映像信号が入力されて前記主画面とＰＩＰ画面を重畳するＰＩＰ処理部４０と，前記ＰＩＰ処理部４０からの重畳画面映像信号が入力されてパネルに表示するためのパネル駆動部５０とを備え，横長のパネルを縦方向に置いて縦長のパネルとし，その方向に合うように映像を表示することを特徴とするデジタル映像表示機器。」
　
　そこで、本願補正発明（前者）と上記刊行物１記載の発明（後者）とを対比する。
・後者の「ＴＶ，ＶＣＲ，またはＤＶＤからのアナログＰＩＰ画面映像信号」は、前者の「リアルタイムのオンエア映像やビデオテープなどの一般に流通している映像」の「飛び越し走査方式のアナログビデオ信号」と、「リアルタイムのオンエア映像やビデオテープなどの一般に流通している映像のアナログ映像信号」である点で共通する。
・後者の「デジタル映像表示機器」は、「横長のパネルを縦方向に置いて縦長のパネルとし，その方向に合うように映像を表示する」のであるから、前者の「映像信号の９０度回転表示装置」と、「映像信号の９０度回転表示装置」である点で共通し、後者のデジタル映像表示機器にはアナログＰＩＰ画面映像信号が入力されることから、後者も、ＴＶ，ＶＣＲ，またはＤＶＤ等の映像装置の出力端子とケーブル等を介して接続され、映像装置からのアナログＰＩＰ画面映像信号を入力する入力端子を有していることは構成上明らかであるから、後者も、「映像信号が出力される出力端子と接続され、この出力端子からリアルタイムで出力されるアナログ映像信号を入力する入力部」に相当する構成を有しているものと認められる。
・後者の「アナログＰＩＰ画面映像信号が入力されてデジタル信号に変換する第２信号変換部２０」は、前者の「入力された飛び越し走査方式のアナログビデオ信号をデコードするデコーダ回路」と、後者もＡ／Ｄ変換を行うデコーダ回路に相当する機能を有していると解されること及び上記対応関係を勘案すれば、「入力されたアナログ映像信号をデコードするデコーダ回路」である点で共通する。
・後者の「第２信号変換部２０からのデジタル変換されたＰＩＰ画面映像信号が入力されて９０°回転させるピボット処理部３０」は、前者の「順次走査方式に変換された飛び越し走査方式のディジタルビデオ信号を９０度回転させる信号回転装置」と、「変換されたディジタル映像信号を９０度回転させる信号回転装置」である点で共通する。
・後者の「９０°回転された主画面デジタル映像信号とピボット処理部３０からの９０°回転されたＰＩＰ画面デジタル映像信号が入力されて主画面とＰＩＰ画面を重畳するＰＩＰ処理部４０とＰＩＰ処理部４０からの重畳画面映像信号が入力されてパネルに表示するためのパネル駆動部５０を備え，横長のパネルを縦方向に置いて縦長のパネルとし，その方向に合うように映像を表示する」点の構成は、前者の「回転したディジタルビデオ信号をアナログ信号化するＤ／Ａコンバータと、横長の映像信号受像機の入力端子と接続され、前記９０度回転させたアナログビデオ信号をリアルタイムに出力する出力部とから成り、横長の映像信号受像機を９０度回転させてポスターのように縦長画面となるように縦長向きに設置した大型・薄型にして縦長のカラー映像信号受像機に前記出力部から出力される９０度回転させたアナログビデオ信号を入力して、前記飛び越し走査方式のアナログビデオ信号をリアルタイムで前記大型・薄型にして縦長のカラー映像信号受像機に表示し得るように構成」した点と、「回転した映像信号をリアルタイムに出力する横長の映像信号受像機を９０度回転させて縦長画面となるように縦長向きに設置した縦長の映像信号受像機に９０度回転させた映像信号を入力して、前記映像信号をリアルタイムで前記縦長の映像信号受像機に表示し得るように構成」した点で共通する。
　
　したがって、両者は、
「映像信号が出力される出力端子と接続され、この出力端子からリアルタイムで出力されるアナログ映像信号を入力する入力部と、この入力されたアナログ映像信号をデコードするデコーダ回路と、変換されたディジタル映像信号を９０度回転させる信号回転装置と、回転した映像信号をリアルタイムに出力する、横長の映像信号受像機を９０度回転させて縦長画面となるように縦長向きに設置した縦長の映像信号受像機に、９０度回転させた映像信号を入力して、前記映像信号をリアルタイムで前記縦長の映像信号受像機に表示し得るように構成して、この縦長の映像信号受像機にリアルタイムのオンエア映像やビデオテープなどの一般に流通している映像を９０度回転させて表示するようにしたことを特徴とする映像信号の９０度回転表示装置。」
  の点の構成で一致し、以下の各点で相違する。
　
［相違点１］
　前者が、飛び越し走査方式のアナログビデオ信号をデコードして得たディジタルビデオ信号を順次走査方式に信号変換する順次走査方式化回路を備えているのに対し、後者は、飛び越し走査方式のアナログビデオ信号映像信号をデコードしているか明らかではなく、前者の順次走査方式化回路に相当する構成も記載されていない点。
［相違点２］
　前者が、回転したディジタルビデオ信号をアナログ信号化するＤ／Ａコンバータを備えているのに対し、後者は、このような構成を有していない点。
［相違点３］
  前者が、受像機の入力端子と接続され、９０度回転させたアナログビデオ信号をリアルタイムに出力する出力部を備えているのに対し、後者には、映像信号を出力する出力部及びパネルの入力端子が記載されていない点。
［相違点４］
  リアルタイムのオンエア映像やビデオテープなどの一般に流通している映像を表示するために、前者が、ポスターのように縦長画面となるように縦向きに設置した大型・薄型にして縦長のカラー映像信号受像機を用いているのに対し、後者は、横長のパネルを縦方向に置いて縦長のパネルとしているものの、このパネルについて大型・薄型のカラー映像信号受像機であるとの記載がない点。
［相違点５］
　前者が、リアルタイムのオンエア映像やビデオテープなどの一般に流通している映像を加工せずにソフトウェアを用いることなく９０度回転させて表示するようにしているのに対し、後者には、加工せずにソフトウェアを用いることなく９０度回転させる点の記載がない点。
　
　そこで、上記各相違点について検討する。
［相違点１］について
　インターレース映像信号をＡ／Ｄ変換し、偶奇両フィールドのＡ／Ｄ変換した信号をメモリに記憶し、それをメモリから読み出して順次走査方式に変換することは、例えば、特開平３−１６７５９５号公報［「特許請求の範囲」に「２：１インターレース信号である第１映像信号のＲＧＢ輝度信号を量子化してデジタルＲＧＢ輝度信号に変換するＡ／Ｄ変換手段と、このＡ／Ｄ変換手段からのデジタルＲＧＢ輝度信号を記憶する映像記憶手段と、この映像記憶手段から読み出されたデジタルＲＧＢ輝度信号をアナログ化するＤ／Ａ変換手段と、第２映像手段のＲＧＢ輝度信号を部分的に前記Ｄ／Ａ変換手段からのＲＧＢ輝度信号に置き換えるミキシング手段と、前記第１映像信号による画面中に前記Ｄ／Ａ変換手段からのＲＧＢ輝度信号による画面をどのように挿入するかを示す指令に基づいて前記各手段を制御する制御手段とを備えた映像重畳装置において、・・・」と記載され、１ページ右下欄下から６行〜２ページ左上欄４行に〔従来の技術〕として「いわゆるパーソナルコンピュータ（パソコン）の分野では、パソコン映像中にテレビ映像などを重ねて表示するピクチャーインピクチャーと呼ばれる画像処理が行われるようになってきた。すなわち、パソコンとパソコンモニタとの間に介在し、外部から映像信号、特に、一般的な２：１インターレース映像信号を取り込んでパソコン映像画面の一部に外部からの映像信号に基づく画面を表示する映像重畳装置が開発されつつある。」と記載され、さらに、５ページ右上欄１５行〜左下欄８行に「切換スイッチ３０の可動接点３０ａを固定接点３０ｃに倒せば、垂直同期信号がフィールド選択手段２７中を単に通過するだけなのでフィールドの間引きは行われず、映像メモリ２６には奇数偶数の両フィールドが書き込まれる。・・・映像メモリ２６からの読み出しは、スーパーインポーズ制御部３１によって行われる。この読み出しは、上述の書き込み動作とは独立して行われ、読み出されたデジタルＲＧＢ輝度信号は、ＤＡＣ３２でアナログＲＧＢ輝度信号に変換され、ミキシング制御部３３の制御の下でビデオスイッチ３４によりパソコン映像信号３に重畳される。」と記載されている。］に示されるように従来周知であり、このような従来周知の事項を刊行物１記載の発明に適用して相違点１に係る構成とすることは、当業者が格別の推考力を要することなくなし得る程度のことと認められる。
［相違点２］について
　ディジタルビデオ信号を用いてディジタル表示を行うこと、及び、ディジタルビデオ信号をＤ／Ａ変換してアナログ信号化し、得られたアナログビデオ信号を用いてアナログ表示を行うことは、ともに周知の方式であり、刊行物１記載の発明のようなデジタル方式の表示に代えて、本願補正発明のようなアナログ方式の表示を採用することは、当業者が格別の推考力を要することなくなし得る程度のことと認められる。
［相違点３］について
　ディスプレイに入力端子を設け外部から送出される映像信号を表示することは、例示するまでもなく周知であり、このような従来周知の事項を刊行物１記載の発明に適用して相違点３に係る構成とすることは、当業者が格別の推考力を要することなくなし得る程度のことと認められる。
［相違点４］について
　縦長のディスプレイに広告用の映像を表示すること及びその有する効果は、例えば、特開２００１−１０９３８７号公報［段落【０００２】に【従来の技術】として「文字や図柄を電子的に表示するディスプレイは、今や、プロジェクター，店頭広告，待ち時間表示器，ゲーム器，コンピュータのモニター等、多くの分野で使用されている。」と記載され、
段落【０００５】に【発明が解決しようとする課題】として「ディスプレイは、様々な設置向き、例えばディスプレイの面を様々な角度に回転させた状態で使用すると、その表示効果を高めることができることがある。すなわち、人の視線に直面するディスプレイ面をディスプレイ面と同じ面内で右あるいは左に９０度回転させ、それまでは横長なディスプレイ面であったものを同じ視線で縦長なディスプレイ面となる状態にしたり、さらに９０度回転させて、同じ視線で当初からは逆さまで横長なディスプレイ面となる状態にしたりするのである。これは、例えば、横書き文字の表示を縦書き文字の表示に変えたり、ゲーム内容にふさわしい表示環境を提供したり、ディスプレイを見る人の注目を集めたりする場合に相応しいディスプレイ面を提供することになる。」と記載されている。］、特開２０００−２４２１８２号公報［段落【０００２】に【従来の技術】として「ＰＤＰは薄型で大画面を確保できることから、大型壁掛けＴＶや広告を始めとする各種の情報表示装置として大きな需要が見込まれている。」と記載され、段落【０００４】に「ＰＤＰは、壁掛けＴＶの場合はパネルを横長、即ち横向きに設置して使用されるが、広告を始めとする各種の情報表示装置の場合はパネルを縦長、即ち縦向きに設置して使用される場合もある。」と記載されている。］に示されるように従来周知であり、ＰＤＰ等の大型・薄型にして縦長の映像信号受像機に表示を行うことも、上記特開２０００−２４２１８２号公報に記載されているところであるから、この点にも格別の特徴は認められない。また、カラー映像信号受像機を用いて映像表示を行うことも従来から普通に行われているところであるから、この点にも格別のものは認められない（刊行物１においても、ＲＧＢ色信号を用いた処理が行われており（（３−１−１）の「１ｅ．」の記載参照。）、このことからみて、刊行物１記載のパネルもカラー表示がなされるものと理解される。）。
　そして、受像器にリアルタイムのオンエア映像信号を広告のために表示することも、例えば、特開昭５０−１１６１９号公報［１ページ右下欄１２行〜１５行に「本発明はテレビジヨン放送受信装置に係り、テレビジヨン放送を受信しながら、所要時、宣伝広告用のカラー画像を放送受信画像に重畳表示し得る装置を提供することを目的とする。」と記載されている。］、特表２００１−５２５６３７号公報［【特許請求の範囲】の【請求項１】に「現に放送されているテレビジョン信号を回復するための受信機と、前記回復したテレビジョン信号を表示するためのディスプレイモニタと、上記回復したテレビジョン信号からのテレビジョン画像を情報メッセージ及び広告メッセージの両方と同時にモニタ上に表示する手段と、を備えたことを特徴とするテレビジョンシステム。」と記載されている。］に示されるように従来周知の事項である。
　したがって、上記のような従来周知の事項を勘案すれば、これらの周知事項を刊行物１記載の発明に適用して相違点４に係る構成とすることは、当業者が格別の推考力を要することなくなし得る程度のことと認められる。　
［相違点５］について
　「映像を加工せずにソフトウェアを用いることなく９０度回転させて表示する」点に関して、平成１６年６月１６日付けで補正された明細書の段落【００１９】（出願当初の明細書の段落【００２２】と同内容）には、「図１に示すように、入力された飛び越し走査方式のアナログビデオ信号１をデコードするデコーダ回路２と、デコードされた飛び越し走査方式のアナログビデオ信号１を順次走査方式に変換する順次走査方式化回路３と、この順次走査方式に変換された飛び越し走査方式のアナログビデオ信号１を画像データとして保存するメモリ４と、
画像データをメモリ４の指定のアドレスであるメモリ書き込みアドレス８に書き込み、指定のアドレスであるメモリ読み出しアドレス９から読み込むためのアドレス発生回路６
メモリ４から読み込む際に画像データを９０度回転させ、この回転画像出力７をリアルタイムに表示器に表示できるように構成した。
　したがって、刊行物２に示されるような公知の画像回転手法を、刊行物１記載の発明の画像回転に適用して相違点５に係る構成とすることは、当業者が格別の推考力を要することなくなし得る程度のことと認められる。
　
　そして、本願補正発明による効果も、刊行物１及び２の記載並びに周知事項から当業者が予測しうる範囲内のものにすぎない。
　したがって、本願補正発明は、刊行物１及び２記載の発明並びに周知事項に基づいて当業者が容易に発明をすることができたものであり、特許法第２９条第２項の規定により特許出願の際独立して特許を受けることができないものである。
　
（４）むすび
　以上のとおり、本件手続補正は、特許法第１７条の２第５項において準用する同法第１２６条第５項の規定に違反するものであるから、特許法第１５９条第１項において読み替えて準用する同法第５３条第１項の規定により却下すべきものである。
　
３．本願発明について
　平成１６年６月１６日付けの手続補正は、上記のとおり却下されたので、本願の請求項１乃至３に係る発明は、平成１５年１０月１４日付け手続補正書により補正された明細書及び図面の記載からみて、その特許請求の範囲の請求項１乃至３に記載されたとおりのものと認められるところ、その請求項３に係る発明は、「２．（１）」の補正前の特許請求の範囲の請求項３に記載されたとおりのものである。
　
４．引用刊行物
　原査定の拒絶の理由に引用された引用刊行物及びその記載事項は、前記「２．（３−１）」に記載したとおりのものである。
　
５．対比・判断
　本願の請求項３に係る発明は、前記「２．」で検討した本願補正発明から、前記限定を省いたものである。
　そうすると、本願補正発明が、前記「２．（３−２）」に記載したとおり、刊行物１及び２記載の発明並びに周知事項に基づいて当業者が容易に発明をすることができたものであるから、本願の請求項３に係る発明も、同様の理由により、当業者が容易に発明をすることができたものである。
　
６．むすび
　以上のとおりであるから、本願の請求項３に係る発明は、特許法第２９条第２項の規定により特許を受けることができない。
　そして、本願の請求項３に係る発明が特許を受けることができないものであるから、その余の請求項に係る発明について検討するまでもなく、本願は拒絶すべきものである。
　よって、結論のとおり審決する。